(57)【特許請求の範囲】
【請求項１】
再生器・凝縮器・蒸発器・吸収器などを配管接続して冷媒と吸収液の循環サイクルを形成すると共に、前記凝縮器と前記吸収器とに端部を開口して連通し、開閉弁を有する第１冷媒ドレン管と、前記蒸発器の液溜めと前記吸収器とに端部を開口して連通し、開閉弁を有する第２冷媒ドレン管との少なくとも一方のドレン管を備える吸収冷温水機において、
前記ドレン管に設けられた前記開閉弁の上流側で、かつ、前記吸収器の前記開口より下方の位置に固形物を溜めるトラップを設けたことを特徴とする吸収冷温水機。
【請求項２】
前記トラップ内にフィルタを設け、前記凝縮器へ連通する第１冷媒ドレン管の端部、または、前記蒸発器の液溜めへ連通する第２ドレン管の端部を該フィルタの内側で下方へ向けて開口させると共に、この開口よりも高い位置の側方に前記吸収器へと連通する第１冷倍ドレン管、第２冷媒ドレン管を設けたことを特徴とする請求項１記載の吸収冷温水機。
【請求項３】
前記トラップの底面が開口可能に設けられたことを特徴とする請求項１記載の吸収冷温水機。
【発明の詳細な説明】
【０００１】
【発明の属する技術分野】
この発明は、冷／暖房などを行うために、冷／温水が供給できる吸収冷温水機に関するものである。
【０００２】
【従来の技術】
この種の吸収冷温水機として、例えば図７に示す構成のものが周知である。すなわち、図７に例示したものは冷／温水を冷却または加熱負荷に循環供給することができる冷温水機としての二重効用吸収式冷凍機であり、冷媒に水を、吸収液に臭化リチウム（ＬｉＢｒ）水溶液を使用したものである。
【０００３】
図において、１は加熱手段としてのガスバーナ１Ｂを備えた高温再生器、２は低温再生器、３は凝縮器、４は蒸発器、５は吸収器、６は低温熱交換器、７は高温熱交換器、８〜１１は吸収液配管、１３は吸収液ポンプ、１４〜１８は冷媒配管、１９は冷媒ポンプ、２２は図示しない冷／暖房負荷などに冷熱または温熱を循環供給する冷水または温水が流れ、途中に蒸発器熱交換器４Ａを備えた冷温水配管、２３は途中に吸収器熱交換器５Ａおよび凝縮器熱交換器３Ａを備えた冷却水配管、Ｖ１〜Ｖ３は開閉弁である。
【０００４】
したがって、上記構成の二重効用吸収式冷凍機においては、開閉弁Ｖ１・Ｖ２・Ｖ３を閉じると共に、冷却水配管２３に冷却水を通しながら、ガスバーナ１Ｂを点火して高温再生器１で溶液を加熱すると、高温再生器１で溶液から蒸発分離した冷媒蒸気は冷媒配管１４に流れ、低温再生器２で中間吸収液を加熱凝縮して凝縮器３に入り、低温再生器２で冷媒蒸気により加熱されて中間吸収液から分離した冷媒蒸気は凝縮器３へ入り、冷却水配管２３から凝縮器熱交換器３Ａへ流れた水と熱交換して凝縮液化した後、冷媒配管１４からの凝縮冷媒と一緒になって冷媒配管１５を介して蒸発器４へ入る。
【０００５】
蒸発器４では、冷媒ポンプ１９によって蒸発器熱交換器４Ａの上に散布された冷媒液が冷温水配管２２からの水と熱交換して蒸発し、このときの気化熱によって蒸発器熱交換器４Ａ内を流れる水が冷却される。そして、蒸発器４で蒸発した冷媒蒸気は吸収器５に入り、上方から散布される吸収液に吸収される。
【０００６】
冷媒を吸収して濃度の薄くなった吸収器５の吸収液は、吸収液ポンプ１３の運転により低温熱交換器６・高温熱交換器７を経て高温再生器１へ送られる。高温再生器１に入った吸収液は、ガスバーナ１Ｂにより加熱されて冷媒が蒸発し、中濃度の吸収液となって高温熱交換器７を経由して低温再生器２に入る。そして、ここで吸収液は高温再生器１から冷媒配管１４を流れて来た冷媒蒸気によって加熱され、さらに冷媒が蒸発分離されて濃度が高くなる。高濃度になった吸収液は低温熱交換器６を経由して吸収器５へ入り、上方から散布される。
【０００７】
上記のように吸収式冷凍機の運転が行われると、蒸発器４において蒸発器熱交換器４Ａの管壁を介して冷媒の気化熱によって冷却された水が、冷温水配管２２を介して図示しない冷／暖房負荷に循環供給できるので、冷房運転が行える。
【０００８】
一方、開閉弁Ｖ１・Ｖ２・Ｖ３を開け、冷却水配管２３に冷却水を通さないでガスバーナ１Ｂを点火して高温再生器１で溶液を加熱すると、高温再生器１で蒸発した冷媒蒸気は冷媒配管１４の途中から主に流路抵抗の小さい冷媒配管１７を介して吸収器５・蒸発器４に入り、蒸発器熱交換器４Ａ内を流れる水と熱交換して凝縮し、主にこのときの凝縮熱によって冷温水配管２２から供給されて蒸発器熱交換器４Ａ内の水が加熱される。したがって、この温水を図示しない冷／暖房負荷に循環供給することによって暖房運転が行なわれる。
【０００９】
なお、蒸発器４で凝縮した冷媒液は、冷媒配管１８に設けた開閉弁Ｖ３を通って吸収器５に入り、吸収液配管１１から流入する吸収液と混合され、吸収液ポンプ１３の運転によって低温熱交換器６・高温熱交換器７を経て高温再生器１へ送られる。高温再生器１に入った吸収液は、ガスバーナ１Ｂにより加熱されて冷媒が蒸発し、中濃度の吸収液となって吸収液配管１１より吸収器５に戻される。
【００１０】
【発明が解決しようとする課題】
しかし、上記従来の吸収冷温水機においては、蒸発器と吸収器とを接続する冷媒配管に設けた開閉弁に、機内に残留した溶接スラグなどが咬み込むと、開閉弁を完全に閉じることができなくなり、蒸発器から吸収器に冷媒が漏れて冷凍能力が低下すると云った問題点があり、この点の解決が課題とされていた。
【００１１】
【課題を解決するための手段】
本発明は上記従来技術の課題を解決するための具体的手段として、再生器・凝縮器・蒸発器・吸収器などを配管接続して冷媒と吸収液の循環サイクルを形成すると共に、前記凝縮器と前記吸収器とに端部を開口して連通し、開閉弁を有する第１冷媒ドレン管と、前記蒸発器の液溜めと前記吸収器とに端部を開口して連通し、開閉弁を有する第２ドレン管との少なくとも一方のドレン管を備える吸収冷温水機において、
【００１２】
前記ドレン管に設けられた開閉弁の上流側で、かつ、前記吸収器の前記開口より下方の位置に固形物を溜めるトラップを設けるようにした第１の構成の吸収冷温水機と、
【００１３】
前記第１の構成の吸収冷温水機において、前記トラップ内にフィルタを設け、前記凝縮器へ連通する第１冷媒ドレン管の端部、または、前記蒸発器の液溜めへ連通する第２ドレン管の端部を該フィルタの内側で下方へ向けて開口させると共に、この開口よりも高い位置の側方に前記吸収器へと連通する第１冷倍ドレン管、第２冷媒ドレン管を設けるようにした第２の構成の吸収冷温水機と、
【００１４】
前記第１の構成の吸収冷温水機において、前記トラップの底面を開口可能に設けるようにした第３の構成の吸収冷温水機と、
と提供することにより、前記した従来技術の課題を解決するものである。
【００１５】
【発明の実施の形態】
以下、本発明の実施形態を図１〜図６に基づいて詳細に説明する。なお、理解を容易にするため、これらの図面においても前記図７において説明した部分と同様の機能を有する部分には、同一の符号を付した。
【００１６】
図１は、第１の実施形態の全体構成を示している。なお、この実施形態における吸収冷温水機は、蒸発器熱交換器４Ａで冷媒液が蒸発する際の蒸発熱によって冷却した冷水を図示しない冷却負荷に冷水配管２２ａから循環供給すると共に、温水器２０の温水器熱交換器２０Ａで冷媒蒸気が凝縮する際の凝縮熱によって加熱した温水を図示しない加熱負荷に温水配管２２ｂから循環供給して、冷／暖房などが同時に行えるようにしたものであり、冷媒配管１６の冷媒ポンプ１９吐出側から吸収器５まで開閉弁Ｖ３Ａを備えて延設した冷媒配管１８Ａ（第２冷媒ドレン管）の、冷媒配管１６側（開閉弁Ｖ３Ａより）に第１のトラップ３１Ａを設け、凝縮器３の冷媒溜りから吸収器５まで開閉弁Ｖ３Ｂを備えて延設した冷媒配管１８Ｂ（第１冷媒ドレン管）の、凝縮器３側（開閉弁Ｖ３Ｂより）に第２のトラップ３１Ｂを設けたものである。
【００１７】
図２は、前記第１の実施形態の要部を示したものであり、筒状に形成されて立設したトラップ３１Ａにおいては、冷媒配管１８Ａの一端が冷媒配管１６に連通開口した冷媒配管１８Ａ１を上方から中段上位まで引き込んで溶接固定し、その端部を下向きに開口させる一方、途中に開閉弁Ｖ３Ａを備えて一端が吸収器５に連通開口する冷媒配管１８Ａ２をその他方の開口端が冷媒配管１８Ａ１の下向き開口端より上になる位置のトラップ３１Ａの周壁開口部に溶接固定している。
【００１８】
そして、冷媒配管１８Ｂに設けたトラップ３１Ｂも、トラップＡと同様に構成して、配管接続した。なお、Ｖ４・Ｖ５・Ｖ６は冷／暖切換用の開閉弁、Ｖ９・Ｖ１０は流量調節するための制御弁である。
【００１９】
したがって、上記構成のトラップ３１Ａ・３１Ｂを備えた吸収冷温水機においては、例えば溶接スラグなどの重い固形物３２が凝縮器３・蒸発器４などに残っていて冷媒と共に循環を始めても、冷媒配管１８Ａ１・１８Ｂ１からトラップ３１Ａ・３１Ｂに流れ込むと冷媒は流速が急に遅くなり、重い固形物はそれぞれトラップの底に溜って下流側には流れて行かないので、開閉弁Ｖ３Ａ・Ｖ３Ｂが溶接スラグなどの固形物３２を咬み込む懸念がない。
【００２０】
図３は第２の実施形態の要部（図示しない部分は、例えば図１と同じ構成、以下同じ）を示しており、この場合のトラップ３１Ａは、冷媒配管１８Ａ１のトラップ内への引き込みを無くすと共に、冷媒配管１８Ａ１の下向き開口端と冷媒配管１８Ａ２の横向き開口端との間に金網・布などからなるフィルタ３３Ａを設け、且つ、螺子３４Ａによって着脱可能な蓋部材３５Ａを例えば底部側に取り付けて構成し、さらに冷媒配管１８Ａ１・１８Ａ２のトラップ３１Ａに臨む側には、開閉弁Ｖ７Ａ・Ｖ８Ａを設けた構成としている。この場合も、冷媒配管１８Ｂに設けるトラップ３１Ｂは、トラップ３１Ａと同様に構成して配管接続される。
【００２１】
したがって、上記構成のトラップ３１Ａ・３１Ｂを備えた本発明になる吸収冷温水機においては、溶接スラグなどの重い固形物だけでなく、軽い固形物などがあってもトラップ３１Ａ・３１Ｂ内に捕らえることが可能であり、且つ、上流側と下流側にある開閉弁を閉めてそれぞれの蓋部材を外せば、冷媒の流出を防止しながらトラップ３１Ａ・３１Ｂと、その内部にあるフィルタの清掃が行える。
【００２２】
図４は第３の実施形態の要部を示しており、この吸収冷温水機においては、吸収器５の液溜めの底板に開設した吸収液出口５Ｂに吸収液配管８の開口端部を溶接固定すると共に、吸収器５の吸収液出口５Ｂを囲繞するように短管３８を例えば溶接固定し、溶接スラグなどの沈殿固形物３２に対する堰を設けている。
【００２３】
したがって、上記第３の実施形態の吸収冷温水機においては、吸収器５内などに溶接スラグなどの重い固形物３２が残っていても、吸収液出口５Ｂの回りに堰として機能する短管３８が固定されているので、吸収液ポンプ１３に溶接スラグなどの固形物３２を咬み込むことがなくなる。
【００２４】
図５は第４の実施形態の要部を示しており、この吸収冷温水機においては、図４に示した第３の実施形態の収冷温水機における短管３８の代わりに、吸収液配管８を吸収器５の底面より上方に突出させて構成したものであり、このように構成しても吸収液配管８の突出部分が沈殿している重い固形物３２に対する堰として作用するので、前記第３の構成の吸収冷温水機と同様の作用効果がある。
【００２５】
図６は第５の実施形態の要部を示しており、この吸収冷温水機においては、吸収液出口５Ｂが吸収器５の底面より上方に位置するよう、吸収液出口５Ｂを吸収液溜めの側壁中段部に開設し、ここに吸収液配管８の開口端を溶接固定したものであり、このような構成でも溶接スラグなどの重い固形物３２は吸収液ポンプ１３の側に流れることがないので、前記第３・第４の実施形態の吸収冷温水機と同様の作用効果がある。
【００２６】
なお、本発明は上記実施例に限定されるものではないので、特許請求の範囲に記載の趣旨から逸脱しない範囲でさらに各種の変形実施が可能である。
【００２７】
例えば、図１・図２に示した第１の実施形態の吸収冷温水機においては、例えばトラップ３１Ａ（トラップ３１Ｂも同様）には鎖線で示したような、冷媒配管１８Ａ１の下向き開口端から流れ出た冷媒が、溶接スラグなどの重い固形物３２が溜っている底部に直接向かって攪拌することがないように、円錐状の冷媒拡散手段３９などを前記開口端に臨んで設置したり、金網や布などからなるフィルタ３３ａを冷媒配管１８Ａ１の下向き開口端と冷媒配管１８Ａ２の横向き開口端との間に設置したり、乱流防止手段４０を底部側に設置することが可能である。
【００２８】
また、冷媒配管１８Ａの上流側端部、すなわち冷媒の導入側端部は蒸発器４の冷媒溜りに配管接続しても良い。
【００２９】
また、図４に示した第３の実施形態の吸収冷温水機や、図５に示した第４の実施形態の吸収冷温水機においては、短管３８や、吸収器５内の吸収液配管８の外周部に、鎖線で示すフランジ４１を設けたり、屋根状の固形物流出防止手段４２を吸収液出口５Ｂの上方に設けることなども可能である。
【００３０】
【発明の効果】
以上説明したように第１および第２の構成の吸収冷温水機によれば、例えば溶接スラグなどの固形物が凝縮器や蒸発器などに残っていて冷媒と共に循環を始めても、トラップに捕らえられてそれより下流側には流れて行かないので、下流側の開閉弁が固形物を咬み込んで閉まらなくなると云った懸念がない。したがって、凝縮器や蒸発器から吸収器に冷媒が漏れて冷凍能力が低下すると云ったことがない
【００３１】
また、トラップを開口可能に設けた第３の構成の吸収冷温水機によれば、トラップ内の清掃が容易に行えると云った利点がある。
【図面の簡単な説明】
【図１】第１の実施形態の構成を示す説明図である。
【図２】第１の実施形態の要部を示す説明図であり、（Ａ）はその構成を示し、（Ｂ）は一部の拡大図である。
【図３】第２の実施形態の要部を示す説明図であり、（Ａ）はその構成を示し、（Ｂ）は一部の拡大図である。
【図４】第３の実施形態の要部を示す説明図であり、（Ａ）はその構成を示し、（Ｂ）は側面図である。
【図５】第４の実施形態の要部を示す説明図であり、（Ａ）はその構成を示し、（Ｂ）は側面図である。
【図６】第５の実施形態の要部を示す説明図であり、（Ａ）はその構成を示し、（Ｂ）は側面図である。
【図７】従来技術を示す説明図である。
【符号の説明】
１  高温再生器
１Ｂ  ガスバーナ
２  低温再生器
３  凝縮器
３Ａ  凝縮器熱交換器
４  蒸発器
４Ａ  蒸発器熱交換器
５  吸収器
５Ａ  吸収器熱交換器
５Ｂ  吸収液出口
６  低温熱交換器
７  高温熱交換器
８〜１１  吸収液配管
１３  吸収液ポンプ
１４〜１８  冷媒配管
１９  冷媒ポンプ
２０  温水器
２０Ａ  温水器熱交換器
２２  冷温水配管
２２ａ  冷水配管
２２ｂ  温水配管
２３  冷却水配管
３１Ａ・３１Ｂ  トラップ
３２  固形物
３３Ａ・３３ａ  フィルタ
３４Ａ  螺子
３５Ａ  蓋部材
３８  短管
３９  冷媒拡散手段
４０  乱流防止手段
４１  フランジ
４２  固形物流出防止手段
Ｖ１〜Ｖ８  開閉弁
Ｖ９・Ｖ１０  制御弁
【図１】
0003723290.tif 000002
【図２】
0003723290.tif 000003
【図３】
0003723290.tif 000004
【図４】
0003723290.tif 000005
【図５】
0003723290.tif 000006
【図６】
0003723290.tif 000007
【図７】
0003723290.tif 000008